Podtech/llm-jp-corpus-v4-ja_patent huggingface dataset:
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
本体枠と、当該本体枠に対して開閉可能に支持される第１扉部材と、を備えた遊技機において、
前記第１扉部材に設けられて当該第１扉部材に対して開閉可能に支持される第２扉部材と、
前記第１扉部材および第２扉部材を閉状態に施錠する施錠装置と、
を備え、
前記施錠装置は、鍵が挿入される鍵穴を備え、前記鍵穴に挿入された鍵が第１の方向に回動操作されることで前記第１扉部材を解錠するとともに、前記鍵穴に挿入された鍵が第１の方向とは異なる第２の方向に回動操作されることで前記第２扉部材を解錠するものであり、
前記鍵穴に挿入された鍵が第１の方向に回動操作されて所定の回動位置に達するとその回動位置で第２方向には回動不能となるように当該鍵を固定する固定手段
を備えていることを特徴とする遊技機。
【請求項２】
請求項１に記載の遊技機において、
前記第１扉部材は、前記本体枠に係止する鉤部材を備え、
前記施錠装置は、前記鍵穴に挿入された鍵が第１の方向に回動操作されることで、前記鉤部材を前記本体枠への係止が解除された開位置に変位し、前記第１扉部材を解錠するものであり、
前記固定手段は、前記鍵を回動位置に固定した状態において前記鉤部材を開位置に固定している
ことを特徴とする遊技機。
【請求項３】
請求項１または請求項２に記載の遊技機において、
前記施錠装置の前記鍵穴は、前記第１扉部材の前面側に設けられており、
前記第１扉部材の裏面側には、前記固定手段による鍵の回動固定を解除する固定解除手段が設けられている
ことを特徴とする遊技機。
【請求項４】
請求項３記載の遊技機において、
前記固定解除手段は、前記固定手段による前記鍵の回動固定を解除すると、前記鍵を前記鍵穴に対して挿抜可能な中立位置に自動的に戻す自動復帰手段
を備えていることを特徴とする遊技機。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
縦長四角形の枠状に形成される外枠と、該外枠に開閉可能に装着され、かつ、遊技盤を装着可能な本体枠と、該本体枠に開閉可能に装着され、かつ、前記遊技盤に形成された遊技領域を透視可能な開口窓が形成される前面枠と、前記遊技盤に装着され、かつ、複数の装飾図柄を画像として変動表示する液晶表示器と、演出に関する各種制御を行う演出制御基板と、を備えるパチンコ機であって、
前記遊技盤は、少なくとも、
前記パチンコ機の対面に着座する遊技者の手又は腕の動きを、前記開口窓を介して、検出可能な非接触式の測距センサ
を複数備え、
前記演出制御基板は、少なくとも、
前記液晶表示器で複数の装飾図柄が変動表示を開始してから停止するまでの１変動期間内に、遊技者の手又は腕の動きの有無を、前記複数の測距センサからの検出信号に基づいて判定する判定制御手段と、
該判定制御手段により遊技者の手又は腕の動きがあったと判定された際に、前記液晶表示器で表示されている複数の装飾図柄のうち少なくとも１つの装飾図柄に遊技者の手又は腕の動きによる変化を与えたかのように反映させる装飾図柄反映制御手段と、
を備えることを特徴とするパチンコ機。
【請求項２】
請求項１に記載のパチンコ機であって、
前記判定制御手段は、少なくとも、
前記前記複数の測距センサのうち、一の測距センサからの検出信号と、該一の測距センサと異なる他の測距センサからの検出信号と、から遊技者の手又は腕の動きの速度を測定する速度測定制御手段
を含み、
前記装飾図柄反映制御手段は、前記速度測定制御手段が測定した遊技者の手又は腕の動きの速度に基づいて前記液晶表示器で表示されている複数の装飾図柄のうち少なくとも１つの装飾図柄に変化を与えたかのように反映させることを特徴とするパチンコ機。
【手続補正２】
【補正対象書類名】明細書
【補正対象項目名】００１２
【補正方法】変更
【補正の内容】
【００１２】
本実施形態では、例えば、図２の外枠２が外枠に相当し、図２の本体枠３が本体枠に相当し、図３の遊技盤４が遊技盤に相当し、図３の遊技領域１２が遊技領域に相当し、図２の開口窓３０が開口窓に相当し、図２の前面枠５が前面枠に相当し、図４０（ａ）の装飾図柄８０ａ〜８０ｃが複数の装飾図柄に相当し、図１４の液晶表示器１１６が液晶表示器に相当し、図１４の周辺基板１１０が演出制御基板に相当し、図１のパチンコ機１がパチンコ機に相当し、図２に示した測距センサ１１９ａ，１１９ｂが測距センサに相当する。
（解決手段２）
解決手段１に記載のパチンコ機であって、前記判定制御手段は、少なくとも、前記前記複数の測距センサのうち、一の測距センサからの検出信号と、該一の測距センサと異なる他の測距センサからの検出信号と、から遊技者の手又は腕の動きの速度を測定する速度測定制御手段を含み、前記装飾図柄反映制御手段は、前記速度測定制御手段が測定した遊技者の手又は腕の動きの速度に基づいて前記液晶表示器で表示されている複数の装飾図柄のうち少なくとも１つの装飾図柄に変化を与えたかのように反映させることを特徴とするパチンコ機。こうすれば、遊技者が単に腕を振り下ろしたことを契機として、遊技者が希望する演出態様に決定したり又はその後に遊技者が気づかないところで演出態様を切り替えたりするのではなく、遊技者の動作によって、つまり遊技者の想いが伝わったときに液晶表示器に表示される画像にその想いが反映されるよう制御することができる。

【手続補正３】
【補正対象書類名】明細書
【補正対象項目名】００１３
【補正方法】変更
【補正の内容】
【００１３】
本発明の請求項１においては、遊技者の自由な発想を促し、遊技者自らが興趣を見出すことができる。請求項２においては、遊技者の想いが伝わったときに液晶表示器に表示される画像にその想いが反映されるよう制御することができる。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
少なくとも所定の図柄情報を変動表示する変動表示手段と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により遊技者に利益を付与する利益付与状態に制御するときに前記変動表示手段にて前記図柄情報の変動表示を行って特定の図柄情報を停止表示する遊技機において、
前記変動表示手段にて前記図柄情報の変動表示を開始してから停止表示するまでに前記特定の図柄情報の一部を構成する特定態様を形成するか否かを判別する特定態様判別手段と、
前記特定態様の形成後の演出であって各々が前記図柄情報のいずれかと情報を共有する特定態様演出を複数種類記憶する特定態様演出記憶手段と、
前記特定態様判別手段により前記特定態様を形成する判別がなされたときに前記当落判定手段の判定結果にもとづいて前記特定態様演出記憶手段に記憶される前記複数種類の特定態様演出のうちいずれかに決定する特定態様演出決定手段と、
前記特定態様演出決定手段により決定された特定態様演出を前記特定態様演出記憶手段から読み出し、前記変動表示手段にて該読み出された特定態様演出を表示制御する演出表示制御手段と、
前記特定態様の図柄情報を、前記特定態様演出決定手段により決定された特定態様演出と情報を共有する図柄情報とするか否かを決定する特定態様図柄決定手段と、
前記当落判定手段により遊技者に利益を付与する判定がなされたときに前記変動表示手段に停止表示される図柄情報を前記特定の図柄情報に決定し、前記当落判定手段により遊技者に利益を付与する判定がなされなかったときに前記変動表示手段に停止表示される図柄情報を前記特定の図柄情報とは異なる非特定の図柄情報に決定する停止図柄情報決定手段と、
前記演出表示制御手段により特定態様演出を表示制御するよりも前に前記特定態様図柄決定手段の決定結果にもとづく前記特定態様を形成し、当該特定態様演出にて前記停止図柄決定手段により決定された図柄情報を停止表示する図柄情報制御手段と、を備え、
前記特定態様図柄決定手段は、前記当落判定手段により遊技者に利益を付与する判定がなされたとき、遊技者に利益を付与する判定がなされなかったときよりも高い割合で前記特定態様演出と情報を共有する図柄情報に決定し、
前記図柄情報制御手段は、前記特定態様図柄決定手段の決定結果にもとづく前記特定態様演出と情報を共有するか否かの前記特定態様の図柄情報を、前記特定態様演出の演出期間に亘って表示制御することを特徴とする遊技機。
【請求項２】
前記図柄情報制御手段は、前記特定態様演出にて前記特定の図柄情報を停止表示するか否かの図柄情報を、前記特定態様図柄決定手段の決定結果にもとづく前記特定態様よりも広い表示領域で表示制御することを特徴とする請求項１記載の遊技機。
【請求項３】
前記特定態様図柄決定手段の決定結果に関わらず、前記利益付与状態制御手段により前記利益付与状態に制御した後の遊技状態が同一であることを特徴とする請求項１または請求項２に記載の遊技機。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
複数の図柄を図柄列として施した図柄帯を有する可動表示体と、前記可動表示体を複数備えた図柄変動表示装置を有し、遊技媒体の投入に続くゲームの開始操作により内部抽選を実行して複数の前記可動表示体の回転を開始させ、前記可動表示体の停止操作が受け付けられると、前記図柄変動表示装置に１回のゲームの結果を表示し、当該結果に基づいて遊技媒体の払い出しを行う遊技機において、
前記可動表示体の停止状態において前記図柄帯の図柄の一部を視認可能とする図柄表示部と、
前記内部抽選として、各ゲーム毎に予め決められた複数の当選役及びハズレ役のうち少なくとも１つを選出する内部抽選手段と、
前記可動表示体の回転を個々に停止させるべく前記可動表示体の各々について前記停止操作を受け付ける停止操作手段と、
前記停止操作手段による前記停止操作及び前記内部抽選手段による前記内部抽選の結果に基づいて、前記可動表示体の停止を制御する可動表示体停止制御手段と、
前記図柄表示部における前記当選役に対応する図柄の組み合わせ態様としての当選態様が有効となる表示位置に前記当選態様が表示されると、前記当選役に対応する遊技媒体を払い出す遊技媒体払出手段と、
演出表示を行うための演出表示手段と、
前記内部抽選手段により前記当選役として複数の特定当選役の中から少なくとも一つの特定当選役が選出され、さらに所定条件が成立しているときには、前記可動表示体の全てが停止する前に、当該特定当選役を遊技者が推測するための予告数であって、当該特定当選役に対応する遊技媒体の規定の払出数に基づく予告数を、前記演出表示手段に表示する払出予告を実行する払出予告手段と
を備えることを特徴とする遊技機。
【請求項２】
前記予告数は、前記特定当選役に対応する前記規定の払出数と同一、又は、前記規定の払出数を下回るものであり、
前記払出予告手段は、前記内部抽選手段により選出された第１の特定当選役よりも前記規定の払出数が少ない第２の特定当選役がある場合、当該第２の特定当選役に対応する規定の払出数を上回る予告数を表示する
ことを特徴とする請求項１に記載の遊技機。
【請求項３】
前記可動表示体の図柄帯には、前記特定当選役に対応する特定当選態様を構成する図柄が前記図柄列の所定範囲毎に配置され、
前記可動表示体停止制御手段は、前記内部抽選手段により前記特定当選役が選出された場合、前記停止操作手段による前記停止操作に基づき前記所定範囲で引き込み制御を行うことで、前記有効となる表示位置に前記特定当選態様を表示可能な特定当選態様表示手段を有している
ことを特徴とする請求項１または請求項２に記載の遊技機。
【手続補正２】
【補正対象書類名】明細書
【補正対象項目名】０００７
【補正方法】変更
【補正の内容】
【０００７】
手段１．手段１に記載の遊技機は、複数の図柄を図柄列として施した図柄帯を有する可動表示体と、前記可動表示体を複数備えた図柄変動表示装置を有し、遊技媒体の投入に続くゲームの開始操作により内部抽選を実行して複数の前記可動表示体の回転を開始させ、前記可動表示体の停止操作が受け付けられると、前記図柄変動表示装置に１回のゲームの結果を表示し、当該結果に基づいて遊技媒体の払い出しを行う遊技機において、前記可動表示体の停止状態において前記図柄帯の図柄の一部を視認可能とする図柄表示部と、前記内部抽選として、各ゲーム毎に予め決められた複数の当選役及びハズレ役のうち少なくとも１つを選出する内部抽選手段と、前記可動表示体の回転を個々に停止させるべく前記可動表示体の各々について前記停止操作を受け付ける停止操作手段と、前記停止操作手段による前記停止操作及び前記内部抽選手段による前記内部抽選の結果に基づいて、前記可動表示体の停止を制御する可動表示体停止制御手段と、前記図柄表示部における前記当選役に対応する図柄の組み合わせ態様としての当選態様が有効となる表示位置に前記当選態様が表示されると、前記当選役に対応する遊技媒体を払い出す遊技媒体払出手段と、演出表示を行うための演出表示手段と、前記内部抽選手段により前記当選役として複数の特定当選役の中から少なくとも一つの特定当選役が選出され、さらに所定条件が成立しているときには、前記可動表示体の全てが停止する前に、当該特定当選役を遊技者が推測するための予告数であって、当該特定当選役に対応する遊技媒体の規定の払出数に基づく予告数を、前記演出表示手段に表示する払出予告を実行する払出予告手段とを備えることを特徴とする。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
複数の図柄を図柄列として施した図柄帯を有する可動表示体と、前記可動表示体を複数備えた図柄変動表示装置を有し、遊技媒体の投入に続くゲームの開始操作により内部抽選を実行して複数の前記可動表示体の回転を開始させ、前記可動表示体の停止操作が受け付けられると、前記図柄変動表示装置に１回のゲームの結果を表示し、当該結果に基づいて遊技媒体の払い出しを行う遊技機において、
前記可動表示体の停止状態において前記図柄帯の図柄の一部を視認可能とする図柄表示部と、
前記内部抽選として、各ゲーム毎に予め決められた複数の当選役及びハズレ役のうち少なくとも１つを選出する内部抽選手段と、
前記可動表示体の回転を個々に停止させるべく前記可動表示体の各々について前記停止操作を受け付ける停止操作手段と、
前記停止操作手段による前記停止操作及び前記内部抽選手段による前記内部抽選の結果に基づいて、前記可動表示体の停止を制御する可動表示体停止制御手段と、
前記図柄表示部における前記当選役に対応する図柄の組み合わせ態様としての当選態様が有効となる表示位置に前記当選態様が表示されると、前記当選役に対応する遊技媒体を払い出す遊技媒体払出手段と、
前記内部抽選手段により前記当選役としての特定当選役が選出された場合、前記可動表示体の全てが停止する前に、前記特定当選役に対応する遊技媒体の払い出しに係る払出予告を実行可能な払出予告手段と
を備えることを特徴とする遊技機。
【請求項２】
前記可動表示体の図柄帯には、前記特定当選役に対応する特定当選態様を構成する図柄が前記図柄列の所定範囲毎に配置され、
前記可動表示体停止制御手段は、前記内部抽選手段により前記特定当選役が選出された場合、前記停止操作手段による前記停止操作に基づき前記所定範囲で引き込み制御を行うことで、前記有効となる表示位置に前記特定当選態様を表示可能な特定当選態様表示手段を有している
ことを特徴とする請求項１に記載の遊技機。
【請求項３】
前記払出予告手段は、前記可動表示体が停止する前に、前記特定当選役に対応する遊技媒体を払い出す事前払出手段である
ことを特徴とする請求項２に記載の遊技機。
【手続補正２】
【補正対象書類名】明細書
【補正対象項目名】０００５
【補正方法】変更
【補正の内容】
【０００５】
手段１．手段１に記載の遊技機は、複数の図柄を図柄列として施した図柄帯を有する可動表示体と、前記可動表示体を複数備えた図柄変動表示装置を有し、遊技媒体の投入に続くゲームの開始操作により内部抽選を実行して複数の前記可動表示体の回転を開始させ、前記可動表示体の停止操作が受け付けられると、前記図柄変動表示装置に１回のゲームの結果を表示し、当該結果に基づいて遊技媒体の払い出しを行う遊技機において、前記可動表示体の停止状態において前記図柄帯の図柄の一部を視認可能とする図柄表示部と、前記内部抽選として、各ゲーム毎に予め決められた複数の当選役及びハズレ役のうち少なくとも１つを選出する内部抽選手段と、前記可動表示体の回転を個々に停止させるべく前記可動表示体の各々について前記停止操作を受け付ける停止操作手段と、前記停止操作手段による前記停止操作及び前記内部抽選手段による前記内部抽選の結果に基づいて、前記可動表示体の停止を制御する可動表示体停止制御手段と、前記図柄表示部における前記当選役に対応する図柄の組み合わせ態様としての当選態様が有効となる表示位置に前記当選態様が表示されると、前記当選役に対応する遊技媒体を払い出す遊技媒体払出手段と、前記内部抽選手段により前記当選役としての特定当選役が選出された場合、前記可動表示体の全てが停止する前に、前記特定当選役に対応する遊技媒体の払い出しに係る払出予告を実行可能な払出予告手段とを備えることを特徴とする。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた始動口と、該始動口に遊技球が入球したことに基づいて遊技者に所定の利益を付与する利益付与状態に制御するか否かを判定する利益付与判定手段と、該利益付与判定手段による判定がなされたことに基づいて複数種類の図柄情報の可変表示を開始して所定期間経過後に所定の表示結果を導出表示可能な演出表示装置と、を備え、前記利益付与判定手段により前記利益付与状態に制御すると判定されたことに基づいて前記演出表示装置に特定の表示結果を導出表示する遊技機であって、
前記遊技領域に配設され、遊技球の受け入れが可能な開放状態と遊技球を受け入れが困難な閉塞状態とに変化可能な大入賞口開閉装置と、
前記大入賞口開閉装置を開閉制御する処理を複数回繰り返し実行することにより前記利益付与状態の制御を行う利益付与状態制御手段と、
前記利益付与判定手段の判定結果に基づいて前記演出表示装置に導出表示する表示結果としての図柄情報を決定する表示結果決定手段と、
該表示結果決定手段の決定結果に基づいて前記演出表示装置を表示制御する表示制御手段と、
前記利益付与判定手段によって前記利益付与状態に制御すると判定される確率が通常よりも高い高確率状態に制御する高確率制御手段と、
前記利益付与判定手段によって前記利益付与状態に制御すると判定されたときに、前記利益付与状態の終了後に前記高確率状態に制御するか否かを判定する高確率制御判定手段と、を備え、
前記表示制御手段は、
前記利益付与状態を終了するときに当該利益付与状態を終了することを報知する終了報知手段と、
前記演出表示装置に前記図柄情報の表示結果を導出表示するときに、前記表示結果決定手段によって決定された図柄情報を、高確率状態に制御されている割合の高低を示唆する複数種類の図柄態様のうちいずれかで表示制御する図柄態様表示手段と、
前記演出表示装置にて前記図柄情報の可変表示を開始するときに前記図柄態様表示手段によって表示制御する図柄態様を前記複数種類の図柄態様のうちいずれかに決定する図柄態様決定手段と、を含み、
前記終了報知手段は、前記高確率状態に制御するか否かに拘らず同一の終了演出を実行し、
前記図柄態様決定手段は、前記高確率制御手段によって前記高確率状態に制御しているとき、前記高確率状態に制御していないときよりも高い割合で、前回の可変表示の際に決定された図柄態様よりも当該可変表示の図柄態様の方が高確率状態に制御されている割合が高いことを示唆するものとなるように、当該可変表示の図柄態様を決定することを特徴とする遊技機。
【請求項２】
前記利益付与判定手段の判定結果に基づいて前記図柄情報の可変表示を開始してから前記表示結果を導出表示するまでの可変表示期間を決定する可変表示期間決定手段と、
前記利益付与判定手段によって前記利益付与状態に制御すると判定されたときに、前記可変表示期間決定手段によって通常の可変表示期間よりも短い可変表示期間に決定する時短状態に制御するか否かを判定する時短制御判定手段と、を備えることを特徴とする請求項１記載の遊技機。
【請求項３】
前記図柄態様表示手段は、前記図柄態様決定手段によって決定された図柄態様を表示制御するタイミングを複数種類のタイミングのうちいずれかに決定する表示タイミング決定手段を含むことを特徴とする請求項１又は請求項２に記載の遊技機。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、該遊技領域に設けられた始動口と、該始動口に遊技球が入球したことに基づいて遊技者に所定の利益を付与する利益付与状態に制御するか否かを判定する利益付与判定手段と、該利益付与判定手段による判定がなされたことに基づいて複数種類の図柄情報の可変表示を開始して所定期間経過後に所定の表示結果を導出表示可能な演出表示装置と、を備え、前記利益付与判定手段により前記利益付与状態に制御すると判定されたことに基づいて前記演出表示装置に特定の表示結果を導出表示する遊技機であって、
前記演出表示装置を遊技盤の後面側に前記遊技盤から所定間隔を空けて配置し、
前記遊技盤の後面と前記演出表示装置との間隔内に設けられる中間装飾部材と、
該中間装飾部材に近接または当接して設けられ、前記遊技盤の前面側に配置する前装飾部材と、
前記中間装飾部材の後面側に設けられ、前記中間装飾部材を光装飾する発光部材と、
該発光部材を駆動制御する発光駆動制御手段と、
前記演出表示装置にて前記図柄情報の可変表示を開始するときに前記発光駆動制御手段によって駆動制御する発光部材の発光態様を、高確率状態に制御されている割合の高低を示唆する複数種類の発光態様のうちいずれかに決定する発光態様決定手段と、
前記遊技領域に配設され、遊技球の受け入れが可能な開放状態と遊技球を受け入れが困難な閉塞状態とに変化可能な大入賞口開閉装置と、
該大入賞口開閉装置を開閉制御する処理を複数回繰り返し実行することにより前記利益付与状態の制御を行う利益付与状態制御手段と、
前記利益付与判定手段の判定結果に基づいて前記演出表示装置に導出表示する表示結果としての図柄情報を決定する表示結果決定手段と、
該表示結果決定手段の決定結果に基づいて前記演出表示装置を表示制御する表示制御手段と、
前記利益付与判定手段によって前記利益付与状態に制御すると判定される確率が通常よりも高い高確率状態に制御する高確率制御手段と、
前記利益付与判定手段によって前記利益付与状態に制御すると判定されたときに、前記利益付与状態の終了後に前記高確率状態に制御するか否かを判定する高確率制御判定手段と、を備え、
前記遊技盤は透光性を有する板状部材によって構成され、
前記遊技領域のうち前記演出表示装置の前方領域以外の遊技領域の略全域を、前記中間装飾部材及び前記前装飾部材で装飾し、
前記中間装飾部材は、
背部を視認可能に形成され、後面側に演出表示装置を配置する表示領域と、
透光性を有する部材によって形成され、前記遊技領域を装飾する装飾領域と、を含み、
前記表示制御手段は、前記利益付与状態を終了するときに当該利益付与状態を終了することを報知する終了報知手段を含み、
該終了報知手段は、前記高確率状態に制御するか否かに拘らず同一の終了演出を実行し、
前記発光態様決定手段は、
前記高確率制御手段によって前記高確率状態に制御していないときに第１の割合で前回の可変表示の際に決定した発光態様よりも当該可変表示の発光態様の方が高確率状態に制御されている割合が高いことを示唆する発光態様に決定し、
前記高確率制御手段によって前記高確率状態に制御しているときに前記第１の割合よりも高い第２の割合で前回の可変表示の際に決定した発光態様よりも当該可変表示の発光態様の方が高確率状態に制御されている割合が高いことを示唆する発光態様に決定することを特徴とする遊技機。
【請求項２】
前記利益付与判定手段の判定結果に基づいて前記図柄情報の可変表示を開始してから前記表示結果を導出表示するまでの可変表示期間を決定する可変表示期間決定手段と、
前記利益付与判定手段によって前記利益付与状態に制御すると判定されたときに、前記可変表示期間決定手段によって通常の可変表示期間よりも短い可変表示期間に決定する時短状態に制御するか否かを判定する時短制御判定手段と、を備えることを特徴とする請求項１記載の遊技機。
【請求項３】
前記発光態様表示手段は、前記発光態様決定手段によって決定された発光態様で前記発光部材の駆動制御を開始するタイミングを複数種類のタイミングのうちいずれかに決定する駆動タイミング決定手段を含むことを特徴とする請求項１又は請求項２に記載の遊技機。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
透明樹脂からなる平板部材に所定配列をもって複数の貫通孔が形成される遊技パネル、及び前記遊技パネルの前記複数の貫通孔の別に各々植設される障害釘、を有し、前記遊技パネルの前面のうちの前記障害釘が植設される遊技領域に向けて遊技球が打ち込まれる遊技盤と、
前記透明樹脂からなる平板部材としての前記遊技パネルの後面側から発光演出を行う演出装置と、
前記遊技領域に設けられ、遊技球を受け入れ困難な閉状態と当該閉状態よりも遊技球を受け入れ容易な開状態との間で開閉動作可能な開閉装置と、
前記遊技領域に向けて打ち込まれた遊技球を受け入れ可能な始動口と、
前記始動口への遊技球の入球を検出する始動検出手段と、
前記始動検出手段により前記始動口への遊技球の入球が検出されることに基づき、前記開閉装置が開閉動作される特別遊技の実行契機となる大当たりについての抽選処理を行う抽選手段と、
前記抽選手段により前記大当たりが当選されることに基づいて前記特別遊技を行う特別遊技実行手段と、を備え、
前記透明樹脂からなる平板部材としての前記遊技パネルと、前記遊技パネルの後面側から発光演出を行う前記演出装置との間には、前記複数の貫通孔に植設される前記障害釘の先端部による機械的な干渉から前記演出装置を保護する透明樹脂板が前記遊技パネルよりも硬質な樹脂材を採用して介在されてなり、
前記透明樹脂板には、所定の装飾画が描かれてなる
ことを特徴とする遊技機。
【請求項２】
前記透明樹脂板は、前記遊技パネルの後面に密着されてなる
請求項１に記載の遊技機。
【請求項３】
前記透明樹脂板は、前記遊技パネルよりも薄い板材からなる
請求項１または２に記載の遊技機。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
外形が矩形状とされた支持部材と、
該支持部材に支持されると共に該支持部材の上下方向中央から半分に分割した大きさと略同じ大きさの表示領域を有し、該表示領域に所定の演出画像を表示可能な第一演出表示手段と、
該第一演出表示手段とは異なる位置で前記支持部材に着脱可能に支持されると共に遊技者の操作によって遊技媒体が打ち込まれる遊技領域を有し、略全面に亘って後方が視認可能とされた遊技盤と、
該遊技盤の後側に配置されると共に前記支持部材に支持され、少なくとも前記遊技盤を通して所定の演出画像を表示可能な第二演出表示手段と、
前記遊技盤の前記遊技領域内に配置され、遊技媒体を受入可能とされた始動口と、
該始動口への遊技媒体の受入れを契機として所定の抽選結果を抽選する抽選手段と、
該抽選手段の前記抽選結果に応じた所定の演出画像を少なくとも前記第一演出表示手段に表示させる演出表示制御手段と、
該演出表示制御手段によって前記抽選結果として所定条件を充足する演出画像が表示されると、遊技者が有利となる有利遊技状態を発生させる有利遊技状態発生手段と
を具備することを特徴とする遊技機。
【請求項２】
前記抽選手段は、前記始動口への遊技媒体の受入れに基づいて乱数を取得するとともに、該取得した乱数に基づいて所定の抽選結果を抽選するものである
請求項１に記載の遊技機。
【請求項３】
前記支持部材の左右方向のいずれかに偏った位置に前記遊技盤の前記遊技領域の中央が位置される
請求項１または２に記載の遊技機。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
連続する複数のフレームからなる動画データを記憶する記憶手段と、
前記動画データに含まれるフレームの画像に基づいて、当該画像の明瞭度を判定する判定手段と、
前記動画データに含まれる第１のフレーム及び第２のフレームについて、各フレームにおける画像に基づいて前記判定手段により判定された明瞭度を比較する比較手段と、
前記比較手段による比較の結果に基づいて、前記第１のフレーム及び前記第２のフレームのうち、より明瞭度が高い画像を有するフレームを選択する選択手段と、
前記選択手段により選択されたフレームを静止画データとして切り出す切出手段と、
を備えることを特徴とする画像処理装置。
【請求項２】
前記判定手段は、前記動画データに含まれるフレームの画像のピント状態を認識し、よりピントが合っている画像をより明瞭度の高い画像であると判定することを特徴とする請求項１に記載の画像処理装置。
【請求項３】
前記判定手段は、前記画像に含まれるオブジェクトの境界部におけるエッジを検出し、検出したエッジの状態に基づいて前記ピント状態を判定することを特徴とする請求項２に記載の画像処理装置。
【請求項４】
前記切出手段により切り出された静止画データを印刷する印刷手段を更に備えることを特徴とする請求項１から３のいずれか１項に記載の画像処理装置。
【請求項５】
前記複数のフレームのうち、少なくとも１つのフレームを前記第１のフレームとしてユーザが指定するフレーム指定手段と、
前記複数のフレームの中から、前記指定されたフレームとの再生時間の差が予め定められた時間以内であるフレームを前記第２のフレームとして抽出する第１の抽出手段と、
を更に備えることを特徴とする請求項１から４のいずれか１項に記載の画像処理装置。
【請求項６】
前記複数のフレームのうち、少なくとも１つのフレームを前記第１のフレームとしてユーザが指定するフレーム指定手段と、
前記複数のフレームの中から、前記指定されたフレームの画像と類似する画像を有するフレームを前記第２のフレームとして抽出する第２の抽出手段と、
を更に備えることを特徴とする請求項１から４のいずれか１項に記載の画像処理装置。
【請求項７】
前記動画データに含まれるフレームの画像における複数のオブジェクトのいずれかをユーザが指定するオブジェクト指定手段と、
前記複数のフレームの中から、前記指定されたオブジェクトを含む画像を有するフレームを前記第２のフレームとして抽出する第３の抽出手段と、
を更に備えることを特徴とする請求項１から４のいずれか１項に記載の画像処理装置。
【請求項８】
前記動画データに含まれるフレームの画像のうち、前記判定手段による明瞭度の判定を行う領域を指定する領域指定手段を更に備え、
前記判定手段は、前記領域指定手段により指定された領域の画像について前記各フレームの画像の明瞭度を判定することを特徴とする請求項１から７のいずれか１項に記載の画像処理装置。
【請求項９】
前記複数のフレームのうち、前記選択手段により選択されたフレームから予め定められた範囲内に位置する他のフレームを、前記切出手段による切り出しを行うフレームの候補として表示する表示手段を更に備えることを特徴とする請求項１から８のいずれか１項に記載の画像処理装置。
【請求項１０】
連続する複数のフレームからなる動画データに含まれるフレームの画像に基づいて、当該画像の明瞭度を判定する判定ステップと、
前記動画データに含まれる第１のフレーム及び第２のフレームについて、各フレームにおける画像に基づいて前記判定手段により判定された明瞭度を比較する比較ステップと、
前記比較ステップにおける比較の結果に基づいて、前記第１のフレーム及び前記第２のフレームのうち、より明瞭度が高い画像を有するフレームを選択する選択ステップと、
前記選択ステップにおいて選択されたフレームを静止画データとして切り出す切出ステップと、
を備えることを特徴とする画像処理装置の制御方法。
【請求項１１】
請求項１０に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法、プログラム
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
撮像手段から入力される映像信号に特殊効果を施す特殊効果設定手段と、
前記撮像手段から入力された映像信号間の動き情報を検出する動きベクトル検出手段と、
前記動きベクトル検出手段に与える映像信号の輝度を補正する映像信号補正手段と、
前記特殊効果設定手段の動作を開始させる特殊効果開始手段とを備え、
前記映像信号補正手段は、前記特殊効果設定手段が動作を開始してからの経過時間に応じて、前記動きベクトル検出手段が動き情報を検出する符号化対象ピクチャ及び参照ピクチャの輝度値が同等となるように、前記動きベクトル検出手段に与える映像信号の輝度を補正することを特徴とする撮像記録装置。
【請求項２】
映像信号を出力する撮像手段と、
前記撮像手段から入力された映像信号間の動き情報を検出する動きベクトル検出手段を備え、動き補償付きのフレーム間予測符号化を行う符号化手段と、
前記符号化手段の出力を記録媒体に記録する記録手段と、
前記撮像手段と前記符号化手段の動作制御を行う制御手段と、
前記映像信号に予め定められた特殊効果を設定することを選択可能な特殊効果設定手段と、
前記特殊効果設定手段によって設定された特殊効果に応じて前記映像信号に与える特殊効果の比率を設定する特殊効果比率設定手段と、
前記特殊効果設定手段で設定された特殊効果と、前記特殊効果比率設定手段で設定された特殊効果の比率とに応じて、前記符号化手段の動きベクトル検出手段に与える映像信号の輝度を補正する映像信号補正手段とを備えることを特徴とする撮像記録装置。
【請求項３】
前記特殊効果設定手段によって特殊効果が設定されている時には、同じ特殊効果の比率に相当するように符号化対象ピクチャ、参照ピクチャの少なくとも一方の輝度を前記映像信号補正手段で補正し、前記動きベクトル検出手段により行われる動きベクトル検出に用いることを特徴とする請求項２に記載の撮像記録装置。
【請求項４】
前記特殊効果設定手段による特殊効果が設定されていない時には、符号化対象ピクチャと参照ピクチャの輝度に対して補正を加えずに前記動きベクトル検出手段に入力することを特徴とする請求項２に記載の撮像記録装置。
【請求項５】
前記映像信号補正手段は、前記特殊効果比率設定手段により符号化対象ピクチャ及び参照ピクチャに設定された特殊効果の比率を用いて、前記符号化対象ピクチャと参照ピクチャの特殊効果を同比率に補正した映像信号を生成することを特徴とする請求項２〜４の何れか１項に記載の撮像記録装置。
【請求項６】
撮像手段から入力される映像信号に特殊効果を施す特殊効果設定工程と、
前記撮像手段から入力された映像信号間の動き情報を動きベクトル検出手段により求める動きベクトル検出工程と、
前記動きベクトル検出手段に与える映像信号の輝度を補正する映像信号補正工程と、
前記特殊効果設定工程の動作を開始させる特殊効果開始工程とを備え、
前記映像信号補正工程は、前記特殊効果設定工程が動作を開始してからの経過時間に応じて、前記動きベクトル検出手段により動き情報を検出する符号化対象ピクチャ及び参照ピクチャの輝度値が同等となるように、前記動きベクトル検出手段に与える映像信号の輝度を補正することを特徴とする撮像記録方法。
【請求項７】
撮像手段から入力された映像信号間の動き情報を検出する動きベクトル検出手段を備え、動き補償付きのフレーム間予測符号化を行う符号化工程と、
前記符号化工程の出力を記録媒体に記録する記録工程と、
前記映像信号に予め定められた特殊効果を設定することを選択可能な特殊効果設定工程と、
前記特殊効果設定工程において設定された特殊効果に応じて前記映像信号に与える特殊効果の比率を設定する特殊効果比率設定工程と、
前記特殊効果設定工程において設定された特殊効果と、前記特殊効果比率設定工程において設定された特殊効果の比率とに応じて、前記動きベクトル検出手段に与える映像信号の輝度を補正する映像信号補正工程とを備えることを特徴とする撮像記録方法。
【請求項８】
前記特殊効果設定工程において特殊効果が設定されている時には、同じ特殊効果の比率に相当するように符号化対象ピクチャ、参照ピクチャのうち、少なくとも一方の輝度を前記映像信号補正工程で補正し、前記動きベクトル検出手段により行われる動きベクトル検出に用いることを特徴とする請求項７に記載の撮像記録方法。
【請求項９】
前記特殊効果設定工程において特殊効果が設定されていない時には、符号化対象ピクチャと参照ピクチャの輝度に対して補正を加えずに前記動きベクトル検出手段に入力することを特徴とする請求項７に記載の撮像記録方法。
【請求項１０】
前記映像信号補正工程においては、前記特殊効果比率設定工程において符号化対象ピクチャ及び参照ピクチャに設定された特殊効果の比率を用いて、前記符号化対象ピクチャと参照ピクチャの特殊効果を同比率に補正して映像信号を生成することを特徴とする請求項７〜９の何れか１項に記載の撮像記録方法。
【請求項１１】
撮像手段から入力される映像信号に特殊効果を施す特殊効果設定工程と、
前記撮像手段から入力された映像信号間の動き情報を動きベクトル検出手段により求める動きベクトル検出工程と、
前記動きベクトル検出手段に与える映像信号の輝度を補正する映像信号補正工程と、
前記特殊効果設定工程の動作を開始させる特殊効果開始工程とを備え、
前記映像信号補正工程は、前記特殊効果設定工程が動作を開始してからの経過時間に応じて、前記動きベクトル検出手段により動き情報を検出する符号化対象ピクチャ及び参照ピクチャの輝度値が同等となるように、前記動きベクトル検出手段に与える映像信号の輝度を補正する工程をコンピュータに実行させることを特徴とするプログラム。
【請求項１２】
請求項１１に記載のプログラムを記憶したことを特徴とするコンピュータ読み取り可能な記憶媒体。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
カラー画像形成装置における各成分色の画像データの階調特性を補正するために用いる階調補正テーブルの作成方法であって、
相異なる複数の画像データ値に対応した階調レベルごとに各成分色のカラーパッチ画像を出力する出力ステップと、
出力されたカラーパッチ画像を測色してそれぞれのパッチにおける明度値および彩度値および反射スペクトルを含む測色値を得る測色ステップと、
カラーパッチ画像の測色値から各階調レベルに対する測色値の特性を解析する解析ステップと、
解析により得られた特性に従い、階調補正テーブル作成方法を選択する選択ステップと、
前記選択された階調補正テーブル作成方法に従い、階調特性がターゲットの特性となるように階調補正テーブルを作成する作成ステップと、
を有することを特徴とする階調補正テーブルの作成方法。
【請求項２】
前記選択ステップでは、分光反射スペクトルより吸収ピークの数を求めて、吸収ピークの数より階調補正テーブル作成方法を選択して、階調補正テーブル作成方法として明度値、彩度値および明度値と彩度値より求めた色差値の少なくともいずれかを用いることを特徴とする請求項１に記載の階調補正テーブルの作成方法。
【請求項３】
前記成分色は、Ｃ（シアン）、Ｍ（マゼンタ）、Ｙ（イエロー）、Ｋ（ブラック）の各色を含み、
前記選択ステップでは、分光反射スペクトルの吸収ピークが２つ以上の成分色であるＣ（シアン）及びＭ（マゼンタ）と、吸収ピークがない成分色であるＫ（ブラック）については、前記測色ステップで得た明度値もしくは色差値を補正対象属性として用いた階調補正テーブル作成方法を選択し、分光反射スペクトルの吸収ピークが１つの成分色であるＹ（イエロー）については、彩度値もしくは色差値を補正対象属性として用いた階調補正テーブル作成方法を選択することを特徴とする請求項１又は２に記載の階調補正テーブルの作成方法。
【請求項４】
前記測色ステップは、測色値として各成分色ごとのカラーパッチの分光反射スペクトルを更に得、
前記選択ステップでは、前記測色ステップで得られた分光反射スペクトルに基づいて、階調補正テーブル作成方法を選択することを特徴とする請求項１乃至３のいずれか１項に記載の階調補正テーブルの作成方法。
【請求項５】
カラーパッチの成分色を示す色情報を取得する色情報取得ステップを更に有し、
前記選択ステップでは、前記色情報取得ステップで得られたカラーパッチの色情報に基づいて、階調補正テーブル作成方法を選択することを特徴とする請求項１乃至３のいずれか１項に記載の階調補正テーブルの作成方法。
【請求項６】
前記選択ステップでは、前記測色ステップで得た明度値もしくは色差値を用いた階調補正テーブル作成方法が選択された場合、さらに、明度値もしくは色差値のいずれか一方が、画像信号の増大に対して飽和又は反転しているか判定し、いずれか一方が飽和又は反転している場合には、他方を補正対象属性として用い、
前記測色ステップで得た彩度値もしくは色差値を用いた階調補正テーブル作成方法が選択された場合、さらに、彩度値もしくは色差値のいずれか一方が、画像信号の増大に対して飽和又は反転しているか判定し、いずれか一方が飽和又は反転している場合には、他方を補正対象属性として用い階調補正テーブル作成方法を選択することを特徴とする請求項１乃至５のいずれか１項に記載の階調補正テーブルの作成方法。
【請求項７】
前記作成ステップでは、前記選択ステップにより選択された階調補正テーブル作成方法により、画像信号値と補正対象属性との関係がターゲットの特性になるよう、階調補正テーブルを作成することを特徴とする請求項１に記載の階調補正テーブルの作成方法。
【請求項８】
前記選択ステップでは、各属性の特性が、画像信号の増大に対して飽和又は反転しているか判定し、飽和又は反転している場合には、当該属性を除外した属性のうちから、最大の画像信号値に対応するカラーパッチと最小の画像信号値に対応するカラーパッチの差が最大となる属性を補正対象属性として選択することを特徴とする請求項７に記載の階調補正テーブルの作成方法。
【請求項９】
カラー画像形成装置における各成分色の画像データの階調特性を補正するために用いる階調補正テーブルの作成装置であって、
相異なる複数の画像データ値に対応した階調レベルごとに各成分色のカラーパッチ画像を出力する出力手段と、
出力されたカラーパッチ画像を測色してそれぞれのパッチにおける明度値および彩度値および反射スペクトルを含む測色値を得る測色手段と、
カラーパッチ画像の測色値から各階調レベルに対する測色値の特性を解析する解析手段と、
解析により得られた特性に従い、階調補正テーブル作成方法を選択する選択手段と、
前記選択された階調補正テーブル作成方法に従い、階調特性がターゲットの特性となるように階調補正テーブルを作成する作成手段と、
を有することを特徴とする階調補正テーブルの作成装置。
【請求項１０】
コンピュータにより、請求項１乃至８のいずれか１項に記載の方法における各ステップを実行させることを特徴とするプログラム。
【手続補正書】
【提出日】平成21年12月17日(2009.12.17)
【手続補正１】
【補正対象書類名】明細書
【補正対象項目名】発明の名称
【補正方法】変更
【補正の内容】
【発明の名称】回線制御装置
【手続補正２】
【補正対象書類名】特許請求の範囲
【補正対象項目名】全文
【補正方法】変更
【補正の内容】
【特許請求の範囲】
【請求項１】
通信システムのシステム情報の設定を行う運用管理装置と接続された回線制御装置であって、
上記回線制御装置は、呼制御CPUと記憶部を有し、
上記記憶部に上記システム情報をシステム情報格納テーブルとして記憶し、
上記呼制御CPUは、上記通信システムの少なくとも立ち上げ処理および状態管理処理を行う状態制御タスク実行部と、
上記運用管理装置から入力されるシステム設定情報のタスク処理を行うシステム情報管理タスク実行部を有し、
上記システム情報管理タスク実行部が上記システム情報格納テーブルの内容を書換えることを特徴とする回線制御装置。
【請求項２】
請求項１記載の回線制御装置において、
上記システム情報管理タスク実行部は、上記運用管理装置からのシステム情報更新開始情報を受けると、
該システム情報更新開始情報を上記状態制御タスク実行部に送信し、
上記システム情報管理タスク実行部が上記運用管理装置から入力されるシステム設定情報のタスク処理を全て終了すると、
上記システム情報管理タスク実行部は、システム情報更新終了情報を上記状態制御タスク実行部に送信することを特徴とする回線制御装置。
【手続補正３】
【補正対象書類名】明細書
【補正対象項目名】００２３
【補正方法】変更
【補正の内容】
【００２３】
また、本発明の回線制御装置は、通信システムのシステム情報の設定を行う運用管理装置と接続され、上記回線制御装置は、呼制御CPUと記憶部を有し、上記記憶部に上記システム情報をシステム情報格納テーブルとして記憶し、上記呼制御CPUは、上記通信システムの少なくとも立ち上げ処理および状態管理処理を行う状態制御タスク実行部と、上記運用管理装置から入力されるシステム設定情報のタスク処理を行うシステム情報管理タスク実行部を有し、上記システム情報管理タスク実行部が上記システム情報格納テーブルの内容を書換えるように構成される。
【手続補正４】
【補正対象書類名】明細書
【補正対象項目名】００２４
【補正方法】変更
【補正の内容】
【００２４】
また、本発明の回線制御装置において、上記システム情報管理タスク実行部は、上記運用管理装置からのシステム情報更新開始情報を受けると、該システム情報更新開始情報を上記状態制御タスク実行部に送信し、上記システム情報管理タスク実行部が上記運用管理装置から入力されるシステム設定情報のタスク処理を全て終了すると、上記システム情報管理タスク実行部は、システム情報更新終了情報を上記状態制御タスク実行部に送信するように構成される。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
少なくとも１枚の翼が軸に取り付けられている風車と、前記軸の回転により多相交流発電する発電機と、この発電機の発電電力を調整、出力するためにＰＷＭ制御する電力変換装置とを備える風力発電装置において、
前記電力変換装置は、１周期の間に重複しない制御停止期間を各相毎に設けて前記ＰＷＭ制御することを特徴とする風力発電装置。
【請求項２】
請求項１の風力発電装置において、
前記電力変換装置は、接続される端子電圧の周波数に基づいた指令値と三角波とを比較して前記ＰＷＭ制御するものであり、
前記三角波の周波数は、前記端子電圧の周波数の６ｎ倍（ｎは正の整数）であることを特徴とする風力発電装置。
【請求項３】
請求項１の風力発電装置において、
前記電力変換装置は、前記発電機の回転速度が所定値以下あるいは所定値以上となる場合に前記制御停止期間を設けることを特徴とする風力発電装置。
【請求項４】
請求項３の風力発電装置において、
前記所定値は、スイッチング素子の発熱量によって定められることを特徴とする風力発電装置。
【請求項５】
少なくとも１枚の翼が軸に取り付けられている風車と、前記軸の回転により多相交流発電する発電機と、この発電機の発電電力を調整、出力するためにＰＷＭ制御する電力変換装置とを備える風力発電装置において、
前記電力変換装置は、相間のパルス密度を変化させて前記ＰＷＭ制御することを特徴とする風力発電装置。
【請求項６】
請求項３又は請求項５の風力発電装置において、
前記電力変換装置は、１周期の間に前記パルス密度を４回変化させることを特徴とする風力発電装置。
【請求項７】
請求項１又は請求項５の風力発電装置において、
前記電力変換装置は、直列接続されたスイッチング素子の短絡を防止する短絡防止期間を設けたＰＷＭ制御を行い、
前記短絡防止期間による不足量に相当する値を各相の指令値に加算することを特徴とする風力発電装置。
【請求項８】
請求項１又は請求項５の風力発電装置において、
風速に基づいて前記翼の角度を変更する翼角度変更手段をさらに備えることを特徴とする風力発電装置。
【請求項９】
請求項５の風力発電装置において、
前記発電機は、固定子側及び回転子側に巻線が巻回される巻線型誘導発電機であり、
前記電力変換装置は、交流電力と直流電力とを双方向に変換可能な第１の電力変換器と、前記直流電力を蓄電する蓄電器と、この蓄電器に接続され、直流電力と交流電力とを双方向に変換可能な第２の電力変換器とを備え、
前記巻線型誘導発電機の一方の巻線が電力系統に接続され、他方の巻線が前記第１の電力変換器に接続され、
前記第２の電力変換器の交流側を前記電力系統に接続することを特徴とする風力発電装置。
【請求項１０】
請求項９の風力発電装置において、
前記第２の電力変換器の交流側と前記電力系統との間には、低域通過フィルタが挿入され、
前記低域通過フィルタの入力側の相間電圧のパルス密度が変化することを特徴とする風力発電装置。
【請求項１１】
請求項１又は請求項５の風力発電装置において、
前記発電機は、永久磁石型発電機であり、
前記電力変換装置は、交流電力と直流電力とを双方向に変換可能な第１の電力変換器と、前記直流電力を蓄電する蓄電器と、この蓄電器に接続され、直流電力と交流電力とを双方向に変換可能な第２の電力変換器とを備え、
前記永久磁石型発電機の巻線側を前記第１の電力変換器の交流側に接続し、前記第２の電力変換器の交流側を電力系統に接続することを特徴とする風力発電装置。
【請求項１２】
請求項１又は請求項５の風力発電装置において、
前記発電機は、同期発電機であり、
前記電力変換装置は、交流電力と直流電力とを双方向に変換可能な第１の電力変換器と、
前記直流電力を蓄電する蓄電器と、この蓄電器に接続され、直流電力と交流電力とを双方向に変換可能な第２の電力変換器とを備え、
前記同期発電機の固定子側を前記第１の電力変換器の交流側に接続し、前記第２の電力変換装置の交流側を電力系統に接続し、
前記１周期は、前記電力系統の系統周波数によって定められることを特徴とする風力発電装置。
【請求項１３】
軸の回転により多相交流発電する発電機の発電電力を調整、出力するためにＰＷＭ制御する電力変換装置において、
該電力変換装置は、１周期の間に重複しない制御休止期間を各相毎に設けて前記ＰＷＭ制御することを特徴とする電力変換装置。
【請求項１４】
請求項１３の電力変換装置において、
前記電力変換装置は、接続される端子電圧の周波数に基づいた指令値と三角波とを比較して前記ＰＷＭ制御するものであり、
前記三角波の周波数は、前記端子電圧の周波数の６ｎ倍（ｎは正の整数）であることを特徴とする電力変換装置。
【請求項１５】
請求項１３の電力変換装置において、
前記電力変換装置は、前記発電機の回転速度が所定値以下あるいは所定値以上となる場合に前記制御停止期間を設けることを特徴とする電力変換装置。
【請求項１６】
請求項１５の電力変換装置において、
前記所定値は、スイッチング素子の発熱量によって定められることを特徴とする電力変換装置。
【請求項１７】
軸の回転により多相交流発電する発電機の発電電力を調整、出力するためにＰＷＭ制御する電力変換装置において、
該電力変換装置は、相間のパルス密度を変化させて前記ＰＷＭ制御することを特徴とする電力変換装置。
【請求項１８】
請求項１５又は請求項１７の電力変換装置において、
前記電力変換装置は、１周期の間に前記パルス密度を４回変化させることを特徴とする電力変換装置。
【請求項１９】
請求項１３又は請求項１７の電力変換装置において、
前記電力変換装置は、直列接続されたスイッチング素子の短絡を防止する短絡防止期間を設けたＰＷＭ制御を行い、
前記短絡防止期間による不足量に相当する値を各相の指令値に加算することを特徴とする電力変換装置。
【手続補正２】
【補正対象書類名】明細書
【補正対象項目名】発明の名称
【補正方法】変更
【補正の内容】
【発明の名称】風力発電装置、及び電力変換装置
【手続補正３】
【補正対象書類名】明細書
【補正対象項目名】０００１
【補正方法】変更
【補正の内容】
【０００１】
本発明は、発電機とＰＷＭ制御する多相電力変換装置とを備える風力発電装置、及び電力変換装置に関する。
【手続補正４】
【補正対象書類名】明細書
【補正対象項目名】０００６
【補正方法】変更
【補正の内容】
【０００６】
そこで、本発明は、電力変換装置の損失を低減することができる風力発電装置、及び電力変換装置を提供することを課題とする。